(57)【要約】タワー状風力タービン、即ち、垂直軸を有するものは、垂直軸（３）を有するロータを含み支持し、ロータと同軸で、発電機と接続している中央シャフトを有するクレードル状支持構造体（２）を備え、前記ロータは、二つの水平ベース（８，１３）の間を伸びて設けられ、その周囲は中央シャフト（２０）に平行な垂直軸（２７）のクラウンを用いて接続される、それぞれに垂直ブレードは９０度自転するように係合されている、クレードル状支持構造体は、同一風上側と風下側を有するように旋回し、クレードル状支持構造体はその方向性を接線方向から半径方向へ変更することにより各ブレードを９０度回転させるように風上に配置されたブレードを回転させる一番目の装置（Ａ）（２４）とその方向性を半径方向から接線方向に変更することにより各ブレードを９０度回転させるように風下に配置されたブレードを回転させる二番目の装置（Ｂ）（２３）とを備え、その結果、第２装置（Ｂ）のブレードは、風に対して進むロータの側に位置する連結した状態のブレード（１２）の半円柱状のグループに整列することにより内側に対して向き合っている各窪んだ側と接線方向に配置する、一方、一番目の装置（Ａ）のブレードは前記半円柱状グループから離れて半径方向に配置する、その結果、風を支持する側に位置するブレードは風（１１）の方向に対してその窪んだ側を示す、さらにその結果、回転の単一の第２装置（Ｂ）を活性化することにより、風に対して前記風力タービン（４９）を閉鎖するように全てのブレードを接線方向に配置して完全な周囲の円柱を形成することが可能となる。それは発電機が位置する下面の固定ベース（１）を備えており、いくつかのフロアに分割し、ドア状タービンにより搭載され、風に対しても閉鎖することができる。【選択図】図１
2016532803.tif 000002
【特許請求の範囲】
【請求項１】
タワー状風力タービン、即ち、垂直軸を有するものは、垂直軸を有するロータを含みかつ支持し、ロータと同軸で、発電機と接続している中央シャフトを有するクレードル状支持構造体を備え、
・前記ロータは、ディスクのように形成された二つの水平ベース（８，１３）の間を伸び、後者（２）の各基底部（９，１５）でベアリングを用いて前記支持構造体により支持された中央シャフト（２０）に溶接され、前記ロータのその周辺は中央シャフト（２０）に平行な垂直軸（２７）のクラウンを用いて接続される、凹凸型（１１，１２）の水平部分としてブレードは９０度自転する傾向にある垂直ブレードはそれぞれに係合する、
・各ブレードは、ロータの上部ベースの下方に配置された上部の小さなディスク（２５）に掛けられ、該小さなディスクは、順番に前記ブレードをそれにもたらすことにより回転する傾向にある、
・ブレードは、各下部の小さなディスクを下部側に係合し、ロータの下部ベースの上方に配置され、前記小さなディスクの一対のクロス状の溝にある、一番目の溝は接線方向（２６）に配置されて二番目の溝は半径方向（２８）に配置され、双方の溝は下部の小さなディスクの上面に形成され、該下部の小さなディスクは下部ベースの空洞に収納されて垂直溝が設けられる、下部の小さなディスクの各背が挿入され、垂直軸によるその平行移動を可能とするが、垂直軸は、それが前記溝に係合されるとき、ブレードを抑制するようにその回転を防止する、
・クレードル状支持構造体は、同一風上側と風下側を有するように旋回して、該クレードル状支持構造体はその方向性を接線方向から半径方向に変更することにより各ブレードを９０度回転させるように風上に配置されたブレードの回転の一番目の装置（Ａ）（２４）とその方向性を半径方向から接線方向に変更することにより各ブレードを９０度回転させるように風下に配置されたブレードの回転の二番目の装置（Ｂ）（２３）とを備え、前記ディスクを上下させることにより前記溝のブレードの下端部を各下部の小さなディスクに解放したりまたは係合させるように双方の回転装置は作動し、ブレードは上部の小さなディスクに掛けたままの状態で、前記ブレードと各下部の小さなディスクは副軸により軸に維持される、
その結果、第２装置（Ｂ）のブレードは、風に対してロータの側に位置する連結した状態のブレード（１２）の半円柱形のグループに対して整列することにより内部に向き合っている各窪んだ側と接線方向に配置する、一方、一番目の装置（Ａ）のブレードは前記半円柱形グループから離れることにより半径方向に配置する、その結果、風を支持する側に位置するブレードは風方向（１１）に対してその窪んだ側を示す、さらに
その結果、第２の回転装置（Ｂ）だけを活性化することにより、風に対して前記風力タービン（４９）を閉鎖するように全てのブレードを接線方向に配置して完全な周囲の円柱を形成することが可能となる。
【請求項２】
請求項１に記載のタワー状風力タービンは、風の方向による前記クレードル状旋回支持構造体は、ベアリングを用いて地面にしっかりと固定された円柱状ベース（１）に存在し、前記中央シャフト、発電機（２１）、及び可能性のあるアキュムレータの下端部を支える傾向がある。
【請求項３】
請求項１または２に記載のタワー状風力タービンは、前記タワーの上部ベースの上方に再閉鎖可能なドームが設けられ、付加的なロータを含むクラウンのような形状をしたクレードルにより構成される、
・上述のロータは、カバー状上部ベース（２９）とディスク状下部ベース（３３）から伸びる二つのベースを有する球体部分により構成され、そのようなベースは前の中央シャフトの外側で同軸である付加的中央シャフト（３８）と垂直中央シャフト（２０）により結合される、
・ロータのベースは、風を受けられる各ブレードを構成し、各傾斜した副軸（３０）の周りを各スライスの個別の回転を介して横方向に傾斜できる球体（３２）のスライスにより外周に接続され、ロータのベースは前記付加的な中央軸と同一平面にあり、前記ロータ（３９）の前記ベースに蝶番式に取り付けられ、特定のギヤ（３１、３７）を用いて、付加的な中央シャフトへ結合され、そして
・上述のクラウン状のクレードルは、タワーの支持構造体の上部ベースと一致する下部ベース（９）とドームのロータの１つに覆いかぶさりそれから切り離されるカバー状の上部ベース（４８）を備え、前記ベースは壁（４７）によりロータの外側にある湾曲したプロフィールと接続される、付加的な中央シャフトの回転は風に開放している最大の構成からドームの閉鎖した構成まで前記球体のスライスを回転させる、逆もまた同様である。
【発明の詳細な説明】
【技術分野】
【０００１】
本発明は、垂直軸を有するロータを含みかつ支持し、ロータと同軸で、発電機と接続している中央シャフトを有するクレードル状の支持構造体を備えるタイプで垂直軸を有するタワー状風力タービンに関する。
【背景技術】
【０００２】
一般には、風力タービンは異なる種類に分割される。回転構造体の下で、機械的な、自然の、あるいは人工的な構造物は（ＳＲ）を意味する、それは幾何学的な軸の周りを回転する際、それらに着用させる機能を実行するために外部と接触するインペラ要素と呼ぶ周辺部材を回転させる。
【０００３】
特に、人工的な回転構造体は、構造体の内側から外側に向かって回転を伝達し、この場合、人は直接の回転構造体について話すことができ、反対の構造体の場合には外側から内側に向かって話すことができる。
【０００４】
ロータは、回転の幾何学的軸の周りだけを回転する回転構造体の部分である、それは回転軸である円柱状の中心軸で、外周部分あるいは外周ロータで構成されていて、インペラ要素はそれらと直接的にあるいは間接的に接続されている。ロータ基板の下に、ロータのその上の構造体は重力の存在で回転することを意味する。それは固定することができる、あるいは旋回することができる。
【０００５】
人工的な回転構造体は、回転幾何学的な軸の特徴に基づいて分類することができる、特に関連ロータの数、階層、方向性、および静止点に基づいて分類することができる。
【０００６】
特に、それらを単一の幾何学的軸を有する型とすることができ、回転のただ一つの幾何学的な軸があり、またインペラ要素をさえ備える単一のロータがある。あるいは、それらを主たる幾何学的な軸を有する型にすることができ、二つ以上の回転軸がある、第２の軸と呼ぶ一つ以上の機械的軸を回転させる主たるロータがあり、インペラ要素はその各々の周りを回転する。
【０００７】
回転構造体を単一または主たる垂直軸を有するＡＺＩＭＵＴＨＡＬ、単一または主たる水平軸を有するＡＬＴＨＡＬ、あるいは単一または主たる傾斜した軸を有するＯＢＬＩＱＵＥとに分割することもできる。
【０００８】
主たる軸を有する回転構造体は、９つのサブカテゴリーを備える、即ち、主軸に直角な副軸を有する３つと、主軸に平行な副軸を有する３つと、そして最後に、主軸に対して同一平面にある傾斜した副軸を有する３つを備える。
【０００９】
さらに、単一の支持や固定ベースまたは旋回ベースで設けられるロータの支持の数に基づいて、付加的な区別を行うことができる、あるいは、クレードルを有するタイプの中で、ロータが二つ以上の支持で支持され、固定ベース（固定クレードル）または旋回ベースにより設けられる、ロータは二つ以上の支持により支持され、固定ベース（固定クレードル）または旋回ベース（旋回クレードル）により設けられる、フォークを有するタイプの中で、ロータを介する副軸または副軸を介するインペラ要素は二つの側で支持される、平衡錘を有するタイプの中で副軸またはインペラ要素はただ一つの側で支持される。
【００１０】
それゆえ、上述のカテゴリと類型の交差は、合計で４８の異なった種類の回転構造体を決定する。
【００１１】
エネルギーを伝達する回転構造体として、剛体のロータ軸、前記シャフト（直接的なもの）、またはロータシャフトの回転を用いて、また外側からのインペラ―（逆のもの）によって集めたエネルギーを用いてインペラ要素をそれらに供給したエネルギ―を共働させる構造体を指定する。
【００１２】
これらのエネルギ―伝達構造体を可動的なものにすることができる、即ち、何らかの自走車両（また、それらが直接的である場合）、あるいは地面にしっかり固定された固定フレームに設置される。
【００１３】
固定フレームは、調整可能で地面にしっかりと固定された固定ベース、と固定ベース上に設置される可能性のある旋回ベースとを備える構造を有する。それらの上に、単一または主ロータが搭載される。
【００１４】
それらは、双方とも直接および逆のエネルギー伝達構造であることが可能である。全ての場合において、強力または精密であるために、それらはインペラ―に剛性を与えなければならない。
【発明の概要】
【発明が解決しようとする課題】
【００１５】
しかしながら、存在する回転フレームのほとんどの部分は他の中央面に対し少し広い、それに直角な主たる幾何学的軸を含む面に大変広い部分を有する、逆もまた同様である。さらには、時々、他の面の部分が円形にならないことに帰着する。これは、インペラ―の不十分な強さ、安定性、および剛性を決定する。
【００１６】
よりコンパクトなまたは回転楕円フレームは硬めになり、さらにはそれを構成する粒子の円運動の慣性を合計することにより、ロータはより安定しなければならない、そしてそれは回転軸を極端の方へ制約する。
【００１７】
特に、既存の風力タービンは単一の固定されたまたはリクライニングブレードを有する風力ブレードの横軸と縦軸の双方で、少し硬く効率的なフレームであり、風力タービンは風の強さの作用に適応することができない。
【課題を解決するための手段】
【００１８】
本発明は、添付請求項１に記載のように、上述の欠点を解消することができるタワー状風力タービンを提供することを提案する。
【図面の簡単な説明】
【００１９】
以下、縦軸を有するタワー状風力タービンの３つの実施形態の例について説明する、即ち、特に、双方の軸が垂直に配置された主軸に平行な２番目の軸を有する閉鎖可能な風力タワーと呼ぶタワー状タービン（ＡＺＩＭＵＴＨ−ＡＺＩＭＵＴＨＡＬと呼ばれる型、図１、２、３、８、９，１０，１１，１２を参照）、垂直主軸に対する同一平面の傾斜した副軸を有する閉鎖可能な風力ドームと呼ばれるドームのような形状をしたタワー状タービン（ＯＢＬＩＱＵＥ−ＡＺＩＭＵＴＨＡＬと呼ばれる型、図４〜１２参照）、及び閉鎖可能な風力タワードームと呼ばれる最初の２つのタービンの組み合わせによって与えられる他のタービン（図８，９，１０，１１，１２参照）である。
【００２０】
添付した図面を参照する。
【図１】図１は正面図で方位角−方位角タワーを示す。
【図２】図２は図１のタワーの横断面図を示す。
【図３】図３は図１のタワーの風力ブレードの９０度リクライニングする機構を示す。
【図４】図４は透明にしたベースを有する正面図で閉鎖可能な風力ドームを示す。
【図５】図５は図４のドームの縦断面図を示す。
【図６】図６は上面図で開放スライスを有する前記ドームを示す。
【図７】図７は上面図で閉鎖スライスを有する前記ドームを示す。
【図８】図８は正面図で組み合わせた閉鎖可能な風力ドームと風力タワーを示す。
【図９】図９は縦断面図で開放されている図８の前記組み合わせを示す。
【図１０】図１０は上面図で開放されている図８の前記組み合わせを示す。
【図１１】図１１は風上側面図の図８の前記組み合わせを示す。
【図１２】図１２は正面図で閉鎖されている図８の前記組み合わせを示す。
【発明を実施するための形態】
【００２１】
図面には、タワー状風力タービンの固定ベース（１）、旋回ベース（２）、メインロータ（３）、および第２ローテーションが装備された要素が示されている。
【００２２】
閉鎖可能風力タワー状のフレームは、クレードルとフォークを持った方位角−方位角型であり、それは垂直メインロータと垂直副軸とを備えて、二つの端部に支持された双方とブレードは過度に垂直であり副軸の周囲をリクライニングする。
【００２３】
再閉鎖可能な風力タービンは、２つの同心の垂直ドラム、即ち、内部ドラムと外部ドラムはロータシャフトの回転の垂直幾何学軸と一致する対称の同一の垂直幾何学軸（６）を有している。
【００２４】
内部ドラムは、タービンの外周ロータであり、ディスク状の２つの水平ベースで構成されている。上部のもの（８）と下部のもの（１３）は、２つのベースで溶接された等距離の垂直副軸の外周の円形状のクラウンで、その間は接続されている。
【００２５】
各副軸の周囲を、垂直に配置されたブレード（１１）と（１２）は側面に沿って回転する。内部ドラムの２つのベースは、底面の発電機（２１）または他のタイプの発電機に達するその中心を通過する垂直ロータシャフト（２０）に溶接されている。
【００２６】
内部ドラムは、ロータシャフトとともに、タワーのロータ（３）を構成する。風力ブレードがタワーの一方の側にあるとき、風圧を受けるに従い、内部ドラムは外部ドラムの内部で回転する。
【００２７】
各風力ブレードは、凹凸状の水平部分を有する。風力ブレードは、２つの方向性を取るようにその副軸（２７）の周囲を回転する、半径方向のもの（１１）はその窪んだ側で風圧を受け、接線方向のもの（１２）はタワーの反対側で風に対して進むことを想定して内側に対して窪んだ側を有する。
【００２８】
ブレードに溶接されている上部の小さなディスク（２５）は、それと共に回転し、その重量を支え、混載のベアリングに存在しているフランジを用いて内部ドラムの上部ベース−ディスクに重量をかける。上部の小さなディスク（２５）とブレードは、第２の回転（４）を有するロータのたったの２つの部分である。
【００２９】
下部の小さなディスクが、内部ドラムの底面ベースに収納されている区間内部の垂直溝をスライドするピンを有しながら、ブレードの下に、自転はできないが単に上下に移動できる下部の小さなディスク（２２）がある。さらに、これはその上面に、２つの水平クロス状のスロット、半径方向のもの（２８）と他の接線方向のもの（２６）を有している。
【００３０】
各ブレードは、その副軸の周りをそれが溶接される上部の小さなディスクと一緒に回転し、それは交互に下端部に対してその下部の小さなディスクの半径方向の溝または接線方向の溝を貫通する、それは解放するために副軸に沿って降下する、そしてそれを新しい位置に固定するために再び上昇する、副軸のおかげで軸に残っている双方はロータのベースに溶接される。
【００３１】
永久磁石をブレードの底面に、あるいは前記区間の内部端に沿って挿入することにより、副軸に沿う下部の小さなディスクの上下動を、その極性を反転させて下方に降ろす電磁石により発生することができる。ブレードの回転がひとたび起こると、電磁石はそれを再び反転させて上昇させる。
【００３２】
一方、外部ドラムは内部ドラムを含む垂直旋回クレードル（２）で構成され、外部ドラムは上部と下部でそれを支持して保護する。
【００３３】
外部ドラムは、風の侵入を可能とする２つの水平ベース、外周で小さなコラム（１０）により結合された上側のもの（９）と下側のもの（１５）、及び／又はフレームワーク構造で形成されていて、それらは鳥用の保護格子で被覆することができる。
【００３４】
外部ドラムの上部ベースは、円形状のクラウン（９）で構成され、それは混載したベアリングを用いて、それを上側に支持して軸に保持することにより内部ドラムの水平上部ディスク（８）の端部の溝を貫通する。
【００３５】
外部ドラムである旋回クレードルの底面ベース（１５）は、ディスクのような形状をしており、それは混載のベアリング（１４）を介して内部ドラムの下部ベース（１３）が存在する凹部、あるいは下部にある軸のものと周囲の半径方向のものを有する。
【００３６】
外部ドラムにより構成される垂直クレードルは、同様の風上側や風下側をいつも維持するために旋回する必要がある。風が変化するときに回転させるために、外部ドラムは混載または軸のベアリング（１６）に存在し、下部の固定されたベース（１）の屋根（７）のリセスを中心に回転させながら、半径方向のベアリング（１８）によりそれを軸に維持する。半径方向のベアリングは、下部の固定されたベースの外部ドラムの円柱状の係合（１９）の周囲に配置することができる。
【００３７】
さらに、外部ドラムは、外周に配置されて、風下や風上を常に外部ドラムの同じ側で維持することにより、風下を維持する頭上の舵を有する。そうでなければ、外部ドラムは、それを再配列させるエンジンを作動させながら、風の方向を検知する装置を備えることができる。
【００３８】
ここで説明するタワーには、ブレードを回転させる装置が設けられている。実際、外部ドラムは、方向を変えるとき、風（７）に対して再配列する必要があるように旋回する。このことは、外部ドラムで２つの装置が挿入されるとき、必要である、即ち、Ａ（２４）で指定されいつも風上にあることが必要となるものと、Ｂ（２３）で指定され一つ目のものと正反対で風下側にある他のものである。各ブレードが内部ドラムと回転する際、装置に達するとき、そのような装置は各ブレードを９０度自転させる。
【００３９】
実際、ＡとＢは、エンジンや電磁石を作動させることにより、内部ドラムでブレードの内部の小さなディスクを降下して解放させる回路を閉じるように，スイッチに作用する突起またはレーザーや赤外線制御により構成される（図３）。その結果として、下部の小さなディスクの降下は、各々のブレードで内部ドラムに配置されたエンジンを作動させることにより、ブレードを９０度回転させる一連の制御、スイッチ、偏向器やリレーを作動させる。ひとたび、回転が完了すると、下部の小さなディスクは再び上昇し、ブレードを他のスロットに貫通させることにより、それを新しい方向にロックすることが可能となる。
【００４０】
図面のように、人は内部ドラムを時計方向に回転させることを選択し、風上側の装置Ａは、窪んだ面を風に対して向けながらブレードを接線方向から半径方向に通過させることにより、それを時計方向に回転させる（図２）。
【００４１】
同じように、外部ドラムの風下側では、ブレードを半径方向から接線方向へ通過させることにより、外側に向けられた凸面と内側に向けられた凹面とに対して、ブレードが徐々に風下になるとき、装置Ｂはそれらが９０度反時計回りに回転させる制御を行う（図２と図３）。
【００４２】
それゆえ、内部ドラムの風に向かって進む側で、一方のブレードを他方のブレードに掛けることにより、またその位置に常に留まることにより、ブレードは、連続的に更新する継続的な半円柱（１２）を形成し、上部のＡで解体し、そして下部のＢで再構成する、一方、タワーの反対側では、半径方向（１１）に配置されたブレードは、風圧を受けて帆を張る。
【００４３】
あまりに強い風の場合や保守作業に起因する場合、半径方向を想定して回転を発生させるのではなく、全てのブレードを接線方向に対して維持することにより、ロータを風の作用に知覚させない完全に周囲中空のシリンダーが得られる。
【００４４】
ロータシャフトとは別に、そのようなシリンダー内部では、風の作用から保護されたままである固定されたブレードや倒れかけているブレードの第２のクラウンの場合がある。
【００４５】
各ブレードに対して、６つの異なる制御が順に設けられている。
【００４６】
【表１】
2016532803.tif 000003
【００４７】
風上で、ブレードの下に配置された、溝のある下部の小さなディスクをそこから外すことにより副軸に沿って降下させる制御（１）を作動させながら、まず第一に、ブレードは装置Ａを満たす。
【００４８】
２度押された偏向器制御（２）は上部の小さいディスクとブレードを反時計方向に回転させる変異体に対して、装置Ｂの風下で同様なことが起こる。
【００４９】
図４〜図７を参照して、主軸（６）が垂直でそれに対して傾いて同一平面上にある副軸（３０）に対するこの型の再閉鎖可能な風力ドームを説明する。ドームは単一の存在要素または垂直クレードルにより支持されているロータの型であってもよい。ロータ（３）の周辺部分は２つのベースのある球形の部分のような形状をしている、球形の部分の上部にあるベースはより小さなものである。球形部分の上方にあるディスクやカバー（２９）は、ドームの上部のベースであり、球形部分の下方にあるディスク（３３）は、その下部のベースである。双方のものは、２つのベースの中心を通過する垂直ロータシャフト（２０）に溶接される。
【００５０】
それらは、横方向に（３２）傾斜することができる球形のスライスにより接続され、風を受けるブレードであるそれらの全てが同様な諧調とともに、風が届くいかなる方向からの風も一つのスライスと他のスライスとの間の空の空間を貫通する。もし、ベースに溶接された傾いたスライスが固定されているならば、ドームは方位角タイプであり再閉鎖可能ではない。
【００５１】
閉鎖可能ドームでは、スライスがその副軸と一緒にそれぞれの回転により横方向にリクライニングされている。スライスのリクライニング角度を取り消すことにより、ドームは風を通さない球体になることにより閉じる。ドームはクラウン状の垂直クレードルによって支持することができる。
【００５２】
クラウン状クレードルは、上部のものと下部のものとの２つの水平ベースで形成された垂直クレードルである。上部ベースは、球状のカバー（４８）のような形状であり、下部ベースはリングやディスク（９）のような形状をしている。２つのベースは、例えば、グリッドによって被覆することが可能な経線の部分のように湾曲した線（４７）で結合されている。
【００５３】
前のタワーのように、ブレードを回転させる装置、即ち、それらに形状を与える前記球体のスライスが設けられている。実際、各スライス（３２）は、それが溶接されている傾いた副軸（３０）のそれ自身の周囲の回転によって順番にドラッグされる。
【００５４】
各副軸は、上面やベースで（３９）、それぞれ、ドームのカバーや下部のベースに蝶番式に取り付け、それは垂直主幾何学的な軸の周りに、ドーム全体と一緒に回転する。
【００５５】
傾いた副軸のそれ自身の周りの第２の回転とスライスの結果として生じる回転は、中空の円柱状の垂直シャフト（３８）の電動回転によって決定される。
【００５６】
そのようなシャフトを含むことにより、ドームに係合するロータシャフトの管の外側に、シャフト（３８）が配置される、それが半径方向のベアリング（１８）を用いてそれから切り離されてドームの下部ベースに存在して、それは混載（１４）のベアリングを用いてそれから切り離される。そのベースの外側で、それはドームのベース（４１）に挿入されたエンジンに二つ乃至三つのピニオン（４０）を係合した鋸歯状のクラウン（４２）を有する。
【００５７】
エンジンがオフに切り替えられ、ピニオンが制動される場合、シャフトをドームの同じ角速度で回転させることにより、シャフトとロータ軸に対してそれを今もなお維持することにより、これらはシャフト（３８）をドラッグする。エンジンがオンに切り替えられたとき、ピニオンはドームとロータ軸に対してシャフト（３８）を回転させる。
【００５８】
自転することにより、垂直中空シャフト（３８）は、それに溶接された二つの水平の鋸歯状ホイール（３７）を回転させ、さらにそれらは後者を自転させることにより、各斜めの副軸の上面やベースに配置された二つのギヤ（３１）を一緒に同程度に反対方向に係合させる。
【００５９】
副軸の自転は、それに溶接されたスライスを傾ける。最大傾斜で、各スライスは前のもの（４４）の軸に横方向に存在する。各スライスは、一方の側に、図面の左側のものを有する、二つの凹部は上述の残りの部分（４５）を支持するために使用される。
【００６０】
垂直中空シャフト（３８）を反対方向に回転させることにより、ドームを閉じて風に対して無感覚にして、接線位置（４６）でスライスは閉じる。
【００６１】
さらに、ロータシャフトのドームフランジ（３４）において、固定ベースのクラッチ（３５）、プレス（３６）、及び構造体（４３）を設けることができる。
【００６２】
図８〜図１２を参照することで、再閉鎖可能タワーと風力ドームとの組み合わせは、閉鎖可能なタワー状フレームへの閉鎖可能なドーム状フレームの重なりによって形成された閉鎖可能風力タワードームとして指定される。双方のものは、共通のロータシャフトの中心を通る対称の共通の垂直軸の周りを同一方向に回転する。このような結合の機会は、ドームは単独で確かに高い固定ベースを持つべきで、一方、タワーは単独ではロータの回転に最大精度を与えるのに十分な球状ではないという事実による。
【００６３】
タワードームは、方位角ドームとタワーにより、固定インペラ―を有する双方のものにより、固定スライスを有する方位角ドームにより左右される方位角−方位角タワーにより、傾斜した方位角ドームにより左右される固定ブレードを有する方位角タワーにより、そして最後に傾斜した方位角ドームにより左右される方位角−方位角タワーにより、閉鎖可能風力タワードームのように構成することができればよいが。
【００６４】
いくつかの重ねられたタワーでさえドームと重なって、いくつかのフロアを構成すると仮定することができる。
【００６５】
ドーム、タワーの機械軸、及び単一のロータシャフトは、ドームのスライスのリクライニングやタワーのブレードの幾何学的配置の方向に回転する。図面で選択されたドームやタワーの回転方向は、時計回りである。即ち、ドームの空の空間とタワーの窪んだ面は、風の左側となる。その結果、ドームとタワーのいくつかの対の回転は、その間の合計となる。
【００６６】
閉鎖可能な風力タワードームのロータ全体は、ドームのロータ、タワーのロータ、及び単一のロータシャフトで構成される。
【００６７】
タワードームでは、単一の垂直ロータシャフト（２０）は、それが溶接されているドーム（２９）の上部ベースからスタートし、それが溶接されているドーム（３３）の下部ベースとそれが溶接されている内部ドラム（８、１３）の二つのベースと交差し、発電機や他のタイプの発電機に到達するまで底面の固定ベースを貫通する。
【００６８】
閉鎖可能なタワードームは、旋回するドラム状のクレードルと重なり結合された旋回するクラウン状のクレードルで構成される旋回するドラムクラウン状のクレードル（２）により支持される、その結果、それらは一緒にタワードーム全体を支持する。ドームの経線は、下面のドラム状のクレードルの上部ベース（円形リング形状を有する）に溶接されている、それゆえ、それはクラウンの下部ベースの働きさえする。ドラムクラウン状のクレードルのそのように形成された単一のベースは、ドームのロータの下部ベースとタワーのロータの上部ベースとの間を貫通する（図９）。単一のベースは、二つの軸性ベアリングにより上述のベースから切り離され、一方、半径方向のベアリング（１８）はそれをロータシャフトから切り離す。
【００６９】
旋回するドラムクラウン状クレードルは、ドラム状クレードルをタワー操作に指向させることにより、その上方で舵（５）または他の装置を用いて風の方向に配列する。
【００７０】
閉鎖可能な風力タワードームでは、風の強さを変化させる際に、スライスの傾きを変化させることができる。さもなければ、風に対してドームやタワーだけを、あるいは複数ある時はいくつかのタワーを閉鎖することができる。最後には、過度の強い風や保守に起因する場合、フレーム全体（図１２）を十分に閉鎖することは可能である。
【００７１】
それゆえ、ひとたびこの閉鎖が、予備のコントロールとエンジンで安全にされ、大きなサイズとパワーを有するフレームを実現することができる。
【００７２】
フレームの大きなサイズは、固定ベースの内部にアキュムレータ、変圧器、または任意の装置を収納したり、過度に生産された電気エネルギ―を蓄えたり送るのに十分なスペースを与える。さらに大きなサイズは、タワードームの減少と領域の少ない消費で大きなパワーを可能にする。最後に、天体観測者に類似した美的価値観は、大きなタワードームを風の強い山のピークにさえ配置することができる。
【００７３】
同封の特許請求の範囲によって定義されるように、上述したタワー状風力タービンにおいて、不測のニーズを満たすため、当業者は保護の範囲内に含まれるどのような変更または変形をもたらす可能性がある。
【図１】
2016532803.tif 000004
【図２】
2016532803.tif 000005
【図３】
2016532803.tif 000006
【図４】
2016532803.tif 000007
【図５】
2016532803.tif 000008
【図６】
2016532803.tif 000009
【図７】
2016532803.tif 000010
【図８】
2016532803.tif 000011
【図９】
2016532803.tif 000012
【図１０】
2016532803.tif 000013
【図１１】
2016532803.tif 000014
【図１２】
2016532803.tif 000015
【国際調査報告】
2016532803.tif 000016
2016532803.tif 000017
2016532803.tif 000018